(57)【特許請求の範囲】
【請求項１】
光の入射側から順に、正の屈折力を有する第１レンズ群、負の屈折力を有する第２レンズ群、および負の屈折力を有するレンズと正の屈折力を有するレンズとの接合レンズを少なくとも１つ含む全体として正の屈折力を有する第３レンズ群を配列してなり、該第３レンズ群を４枚のレンズにより構成し、該第１レンズ群の焦点距離をｆ1、該第２レンズ群の焦点距離をｆ2、該第３レンズ群の焦点距離をｆ3、全系の焦点距離をｆ、該接合レンズの、正の屈折力を有するレンズのアッベ数をν1、負の屈折力を有するレンズのアッベ数をν2としたとき下記条件式（１）〜（４）を満足するように構成してなることを特徴とする接眼レンズ。
（１）２．０＜ｆ1／ｆ＜５．０
（２）−６．０＜ｆ2／ｆ＜−２．０
（３）０．７＜ｆ3／ｆ＜１．３
（４）１／ν1−１／ν2＜−０．０１
【発明の詳細な説明】
【０００１】
【発明の属する技術分野】
本発明は双眼鏡、望遠鏡等に用いられる、見掛け視界が例えば６０度以上の接眼レンズに関するものである。
【０００２】
【従来の技術】
広視野の接眼レンズとしては、例えば特開平7-281107号公報等に記載された４群レンズ構成のものが知られている。この公報記載のものでは、非点収差、歪曲収差等の各収差を補正するために、最も対物レンズ側の第１レンズとして強いパワーの負レンズを用いている。しかし、この第１レンズによって光束が発散され第２レンズ以降のレンズ径が大きくなってしまい、レンズ全系のサイズが大きくなってしまう。
【０００３】
一方、特開平6-175045号公報に記載されている接眼レンズでは、最も対物レンズ側の第１レンズを正のレンズとし、第２レンズ以降のレンズ径をコンパクトなものとしているが、各レンズは単レンズにより構成されており色収差の補正が不十分という問題があった。さらに、この接眼レンズでは焦点距離が長いため、アイレリーフが短くなりすぎるという問題もあった。
【０００４】
そこで、特開平5-40232 号公報に記載の接眼レンズでは、全レンズ系を３群構成とし、最も対物レンズ側の第１レンズ群を正のレンズとするとともに第３レンズ群中に接合レンズを配し、さらに、全系の焦点距離を所定の長さとしており、レンズ全系のサイズのコンパクト化、色収差補正の改善およびアイレリーフの短縮化防止を図るようにしている。
【０００５】
【発明が解決しようとする課題】
しかしながら、上記公報（特開平5-40232 号公報）記載の接眼レンズは顕微鏡を主用途としており、したがって広視野接眼レンズとはいえ見掛け視界は４３度程度の狭いものとなっている。
見掛け視界が４３度程度では望遠鏡や双眼鏡の広視野接眼レンズとしては必ずしも十分とはいえない。
【０００６】
本発明は、上述した如き従来の接眼レンズの欠点を解消するためになされたもので、全系のコンパクト化、色収差補正をはじめとする諸収差補正の改善およびアイレリーフの短縮化防止を図りつつ、望遠鏡や双眼鏡に用いた場合にもその見掛け視界を十分なものとすることができる接眼レンズを提供することを目的とするものである。
【０００７】
【課題を解決するための手段】
本発明の接眼レンズは、光の入射側から順に、正の屈折力を有する第１レンズ群、負の屈折力を有する第２レンズ群、および負の屈折力を有するレンズと正の屈折力を有するレンズとの接合レンズを少なくとも１つ含む全体として正の屈折力を有する第３レンズ群を配列してなり、該第３レンズ群を４枚のレンズにより構成し、該第１レンズ群の焦点距離をｆ1、該第２レンズ群の焦点距離をｆ2、該第３レンズ群の焦点距離をｆ3、全系の焦点距離をｆ、該接合レンズの、正の屈折力を有するレンズのアッベ数をν1、負の屈折力を有するレンズのアッベ数をν2としたとき下記条件式（１）〜（４）を満足するように構成してなることを特徴とするものである。
（１）２．０＜ｆ1／ｆ＜５．０
（２）−６．０＜ｆ2／ｆ＜−２．０
（３）０．７＜ｆ3／ｆ＜１．３
（４）１／ν1−１／ν2＜−０．０１
【０００８】
【発明の実施の形態】
以下、図面を用いて、本発明の実施形態について説明する。
【０００９】
＜実施例１＞
図１は実施例１のレンズ基本構成を示すものである。図１に示すように、本実施例に係る接眼レンズは物体側から正、負、正の３群G1,G2,G3より構成されてなる。第１群G1は物体側に凹面を向けた正のメニスカスレンズＬ1からなり、第２群G2は眼側に強い曲率の面を向けた両凹レンズＬ2からなり、第３群G3は、眼側に強い曲率の面を向けた両凸レンズＬ3、Ｌ4、物体側に強い曲率の面を向けた両凹レンズＬ5および物体側に凸面を向けた平凸レンズＬ6の４枚のレンズをこの順に配列されてなる。また、上記レンズＬ4とレンズＬ5は接合レンズを構成している。
【００１０】
なお、図１には対物レンズにより形成された像１およびアイポイントE.P.の位置が示されている。
ここで、本実施例においては第１レンズ群G1として正レンズを用いて第１レンズ群G1に入射した光束が発散するのを防止している。これにより、レンズ全系のサイズをコンパクトなものとすることができる。
また、本実施例においては、第３レンズ群G3中に正レンズと負レンズからなる接合レンズを設けており、これにより色収差の補正を良好なものとしている。
【００１１】
また、本実施例においては、該第１群G1の焦点距離をｆ1、該第２群G2の焦点距離をｆ2、該第３群G3の焦点距離をｆ3、全系の焦点距離をｆ、該接合レンズの正の屈折力を有するレンズＬ6のアッベ数をν1、負の屈折力を有するレンズのアッベ数をν2としたとき下記条件式（１）〜（４）を満足するように構成されている。
（１）２．０＜ｆ1／ｆ＜５．０
（２）−６．０＜ｆ2／ｆ＜−２．０
（３）０．７＜ｆ3／ｆ＜１．３
（４）１／ν1−１／ν2＜−０．０１
【００１２】
以下、上記の各条件式（１）〜（４）について説明する。
まず、条件式（１）は第１群G1のパワーを適切に与えることで第２群G2以降のレンズ径の増大を防止するものである。この上限を越えると第１群G1のパワーが弱くなり、第２群G2以降のレンズ径が増大し、レンズ全系のサイズが大きくなってしまう。一方、この下限を越えると、第１群G1を通過した光線の屈折角度が大きくなりすぎて、コマ収差が増大してしまう。
【００１３】
また、条件式（２）は第２群G2の負のパワーを適切に与えることで非点収差、歪曲収差を補正するものである。この下限を越えると光束の発散作用が強くなりすぎ、コマ収差が増大する。一方、この上限を越えると光束の発散作用が弱くなりすぎ、非点収差、歪曲収差の補正が不十分となる。
また、条件式（３）は第３群G3のパワーを適切に配分することで第２群G2で発散した光束を適度に収束させ、アイポイントまでの距離を十分な大きさとするものである。この下限を越えると正のパワーが強くなりすぎ、収束力が増大してアイポイントまでの距離が短くなってしまう。一方、この上限を越えると正のパワーが弱くなりすぎ、必要な長さの焦点距離が得られなくなる。
【００１４】
さらに、条件式（４）は色収差を十分に補正するためのものである。この上限を越えると、色収差を十分に補正することが困難となる。
次に、この実施例１における各レンズ面の曲率半径Ｒ（ｍｍ）、各レンズの中心厚および各レンズ間の空気間隔ｄ(mm)、各レンズのｄ線（λ=587.6nm)における屈折率ｎおよびアッベ数νを下記表１に示す。
ただし、この表１および後述する表２、表３において、各Ｒ,ｄ,ｎ,νに対応させた数字は物体側から順次増加するようになっている。
【００１５】
【表１】
0003642444.tif 000002
【００１６】
また、この表１の中段には、本実施例における各レンズ群の焦点距離ｆ1、ｆ2、ｆ3の値および各条件式（１）〜（４）に対応する値が示されている。これらの数値によれば各条件式は全て満足されている。
さらに、この表１の下段に示すように、本実施例において、レンズ系全体の焦点距離fは２０mm、見掛け視界は６３度、アイレリーフは１５．４mmであり、広視野接眼レンズとしての性能が確保されている。
【００１７】
＜実施例２＞
次に、実施例２のレンズ構成を図２を用いて説明する。
この実施例２の接眼レンズは、主に、第２群G2を構成するレンズが物体側に凸面を向けた負のメニスカスレンズＬ2とされ、また、第３群G3を構成する負レンズＬ3と正レンズＬ4が接合レンズとされていること以外は、そのレンズ構成および条件式(１)〜（４）は上記実施例１と略同様とされている。
また、この実施例２における各レンズ面の曲率半径Ｒ（mm）、各レンズ中心厚および各レンズ間の空気間隔ｄ（mm)、各レンズのｄ線における屈折率ｎおよびアッベ数νを下記表２に示す。
【００１８】
【表２】
0003642444.tif 000003
【００１９】
また、この表２の中段には、本実施例における各レンズ群の焦点距離ｆ1、ｆ2、ｆ3の値および各条件式（１）〜（４）に対応する値が示されている。これらの数値によれば各条件式は全て満足されている。
さらに、この表２の下段に示すように、本実施例において、レンズ系全体の焦点距離fは２０mm、見掛け視界は６３度、アイレリーフは１５．４mmであり、広視野接眼レンズとしての性能が確保されている。
【００２０】
＜実施例３＞
次に、実施例３のレンズ構成を図３を用いて説明する。
この実施例３の接眼レンズは、主に、第２レンズ群G2を構成するレンズが物体側に凸面を向けた負のメニスカスレンズＬ2とされ、また、第３レンズ群G3を構成する、負レンズＬ3と正レンズＬ4および正レンズＬ5と負レンズＬ6が各々接合レンズとされていること以外は、そのレンズ構成および条件式(１)〜（４）は上記実施例１と略同様とされている。
また、この実施例３における各レンズ面の曲率半径Ｒ（mm）、各レンズ中心厚および各レンズ間の空気間隔ｄ（mm)、各レンズのｄ線における屈折率ｎおよびアッベ数νを下記表３に示す。
【００２１】
【表３】
0003642444.tif 000004
【００２２】
また、この表３の中段には、本実施例における各レンズ群の焦点距離ｆ1、ｆ2、ｆ3の値および各条件式（１）〜（４）に対応する値が示されている。これらの数値によれば各条件式は全て満足されている。
さらに、この表３の下段に示すように、本実施例において、レンズ系全体の焦点距離fは２０mm、見掛け視界は６３度、アイレリーフは１５．４mmであり、広視野接眼レンズとしての性能が確保されている。
なお、実施例１〜３における、接眼レンズの各収差図（球面収差、非点収差、歪曲収差（ディストーション））を各々図４〜６に示す。
【００２３】
これら図４〜６から明らかなように、上述した各実施例によれば、諸収差を良好なものとすることができ、接眼レンズとして良好に使用し得る性能を確保することができる。
なお、本発明の接眼レンズとしては、上記実施例のものに限られるものではなく種々の態様の変更が可能であり、例えば各レンズの曲率半径Ｒおよび間隔（もしくはレンズ厚）ｄを適宜変更することが可能である。
【００２４】
【発明の効果】
以上説明したように、本発明の接眼レンズによれば、上述した如き、３群６枚のレンズ構成とし、所定の条件式を満足することで、望遠鏡あるいは双眼鏡に用いた場合にも十分な視野角およびアイレリーフを確保することができ、諸収差を良好に補正しつつ、全系をコンパクトなものとすることができる。
【図面の簡単な説明】
【図１】本発明の実施例１に係るレンズ基本構成を示す概略図
【図２】本発明の実施例２に係るレンズ基本構成を示す概略図
【図３】本発明の実施例３に係るレンズ基本構成を示す概略図
【図４】実施例１に係るレンズの各収差図
【図５】実施例２に係るレンズの各収差図
【図６】実施例３に係るレンズの各収差図
【符号の説明】
Ｇ１         第１群
Ｇ２         第２群
Ｇ３         第３群
Ｌ1〜Ｌ6     レンズ
E.P.        アイポイント位置
１          物体像
【図１】
0003642444.tif 000005
【図２】
0003642444.tif 000006
【図３】
0003642444.tif 000007
【図４】
0003642444.tif 000008
【図５】
0003642444.tif 000009
【図６】
0003642444.tif 000010